(57)【要約】【課題】  補修のために鋼管鉄塔の鋼管部材の内面に施された塗装を乾燥させる方法および装置を提供する。【解決手段】  鋼管端部の開口部に連結材が設けられた鋼管鉄塔の鋼管部材に用いるものであって、鋼管部材の一方の端部付近の鋼管外面に設置される送風ファンと、送風ファンを鋼管部材に固定するための固定具と、送風ファンと連結材とを覆うように設置されるカバープレートとで構成されており、前記送風ファンは送風ファンの設置位置に近い側の連結材の方向に送風するように設置され、前記カバープレートは上面カバーと側面カバーとで構成されており、前記上面カバーは送風ファンの上面と連結材の先端とを渡すように設置され、前記側面カバーは送風ファンと上面カバーと連結材とで囲まれた空間を側面から塞ぐように設置されている。【選択図】図１０
2015071156.tif 000002
【特許請求の範囲】
【請求項１】
鋼管端部の開口部に連結材が設けられた鋼管鉄塔の鋼管部材に用いるものであって、
前記鋼管部材の一方の端部付近の鋼管外面に設置される送風ファンと、
送風ファンを鋼管部材に固定するための固定具と、
送風ファンと連結材とを覆うように設置されるカバープレートとで構成されており、
前記送風ファンは、送風ファンの設置位置に近い側の連結材の方向に送風するように設置され、
前記カバープレートは、上面カバーと側面カバーとで構成されており、
前記上面カバーは、送風ファンの上面と連結材の先端とを渡すように設置され、
前記側面カバーは、送風ファンと上面カバーと連結材とで囲まれた空間を側面から塞ぐように設置されていること、
を特徴とする鋼管内面の塗装乾燥装置。
【請求項２】
請求項１に記載の鋼管内面の塗装乾燥装置において、
前記固定具は、固定プレートと板状体の固定台とＵボルトとで構成されており、
前記固定プレートは、一方の平面に送風ファンの下面が接続され、もう一方の平面の短手方向の両端部に前記固定台の側面が固定されていること、
前記固定プレートの長手方向の端部付近にＵボルトを挿通する孔が設けられていること、
前記固定台の前記固定プレートに固定している側と反対側の側面は、前記鋼管部材の外側面に密着する形状に形成されていること、
を特徴とする鋼管内面の塗装乾燥装置。
【請求項３】
請求項１に記載の鋼管内面の塗装乾燥装置において、
前記固定具は、固定プレートと、板状体の固定台と、前記鋼管部材を挟持する一対の二分割バンド部材と、一対の二分割バンド部材に挟持方向の押圧力を作用させる押圧部材とで構成されており、
前記一対の二分割バンド部材は、前記固定台の側面に固定されている第１二分割バンド部材と、第１二分割バンド部材に押圧部材を介して接続される第２二分割バンド部材とからなること、
前記固定プレートは、一方の平面に送風ファンの下面が接続され、もう一方の平面の短手方向の両端部に前記固定台の側面が固定されていること、
前記固定台の固定プレートに固定している側と反対側の側面は、第１二分割バンド部材の外側面に密着する形状に形成されていること、
を特徴とする鋼管内面の塗装乾燥装置。
【請求項４】
鋼管端部の開口部に連結材が設けられた鋼管鉄塔の鋼管部材に用いるものであって、
前記鋼管部材の鋼管内面に塗装を施した後、
前記鋼管部材の一方の端部付近の鋼管外面に固定具を介して送風ファンを設置し、
送風ファンを送風ファンの設置位置に近い側の連結材の方向に送風するように調整し、
送風ファンの上面と連結材の先端とを渡すように上面カバーを設置し、
送風ファンと上面カバーと連結材とで囲まれた空間を側面から塞ぐように側面カバーを設置して、鋼管内面の塗装乾燥装置を鋼管部材に取り付け、
送風ファンを作動させて、カバープレート内に空気を供給し、
カバープレート内に供給された空気が鋼管部材の内部に流入し、
鋼管部材の内部に流入した空気が、鋼管内面の塗装乾燥装置を取り付けていない側の鋼管部材の端部から排気されることで、鋼管内部に空気を流通させて鋼管内面に施した塗装を乾燥させること、
を特徴とする鋼管内面の塗装乾燥方法。
【発明の詳細な説明】
【技術分野】
【０００１】  本発明は、鋼管鉄塔の主柱材間に接続される水平材および斜材の鋼管部材に用いるものであって、補修のために前記鋼管部材の内面に施された塗装を乾燥させる方法および装置に関するものである。
【背景技術】
【０００２】  一般に鋼管鉄塔は、縦方向に沿って配置される複数の主柱材と、横方向に配置され、主柱材同士を連結する複数の水平材と、主柱材や水平材と傾斜するように配置され、主柱材同士を連結する複数の斜材とを備えている。前記水平材および斜材は、鋼管端部の開口部にその直径方向に割込み挿入された連結材が、溶接等の手段により固定されている構造が一般的である。前記連結材は、鋼管鉄塔の主柱材および水平材に設けられたガセットプレートとボルト及びナットにより接続されている。【０００３】  前記水平材および斜材は、鋼管端部の開口部を通じて鋼管の内部に空気が流通し、鋼管内面に結露が生じて、鋼管内面が腐食することがある。また、前記開口部から雨水が鋼管内部に浸入して、鋼管内面が腐食することもある。【０００４】  水平材および斜材の鋼管内面に腐食が発生した場合、腐食の著しいものは部材取替えを実施しており、腐食が軽微なものについては、腐食の進行を抑えるために、鋼管内面に塗装を施している（例えば、特許文献１参照。）。
【先行技術文献】
【特許文献】
【０００５】
【特許文献１】特開平６−２９６９０９号公報
【発明の概要】
【発明が解決しようとする課題】
【０００６】  通常、鋼管鉄塔の鋼管部材の内面に施した塗装は自然乾燥により乾燥させている。塗料は、塗料中の溶剤の揮発を伴って硬化乾燥し、目的の塗膜となって性能を発揮するが、水平材および斜材のような鋼管径の小さい部材の場合、鋼管内部の空気の流通が良くないため、塗料の硬化乾燥に時間がかかり、塗料が硬化乾燥するまでの間に塗料が鋼管内面に沿って垂れ、硬化乾燥後の塗膜の厚さにムラが生じるという問題があった。【０００７】  また、鋼管内部の空気の流通が悪く、鋼管内部に揮発した溶剤が残留していると、鋼管内部が揮発溶剤で飽和状態となり、それ以上の塗料からの溶剤の揮発を妨げてしまうため、塗膜を十分に硬化乾燥させることができなくなるという問題もあった。【０００８】  そこで、本発明の課題は、水平材および斜材の鋼管内面に施された塗装に塗膜厚さのムラが生じることがないように、また、水平材および斜材の鋼管内部が塗膜を十分に硬化乾燥させることができない状態にならないように、鋼管内部に空気を流通させて、目的の塗膜を形成させる鋼管内面の塗装乾燥方法およびその装置を提供することにある。
【課題を解決するための手段】
【０００９】  上記の課題を解決するため、本発明の鋼管内面の塗装乾燥装置は、鋼管端部の開口部に連結材が設けられた鋼管鉄塔の鋼管部材に用いるものであって、前記鋼管部材の一方の端部付近の鋼管外面に設置される送風ファンと、送風ファンを鋼管部材に固定するための固定具と、送風ファンと連結材とを覆うように設置されるカバープレートとで構成されており、前記送風ファンは送風ファンの設置位置に近い側の連結材の方向に送風するように設置され、前記カバープレートは上面カバーと側面カバーとで構成されており、前記上面カバーは送風ファンの上面と連結材の先端とを渡すように設置され、前記側面カバーは送風ファンと上面カバーと連結材とで囲まれた空間を側面から塞ぐように設置されていることを特徴としている。【００１０】  また、前記固定具は、固定プレートと板状体の固定台とＵボルトとで構成されており、前記固定プレートは、一方の平面に送風ファンの下面が接続され、もう一方の平面の短手方向の両端部に前記固定台の側面が固定されていること、前記固定プレートの長手方向の端部付近にＵボルトを挿通する孔が設けられていること、前記固定台の固定プレートに固定している側と反対側の側面は、前記鋼管部材の外側面に密着する形状に形成されていることを特徴としている。【００１１】  また、前記固定具は、固定プレートと、板状体の固定台と、前記鋼管部材を挟持する一対の二分割バンド部材と、一対の二分割バンド部材に挟持方向の押圧力を作用させる押圧部材とで構成されており、前記一対の二分割バンド部材は、前記固定台の側面に固定されている第１二分割バンド部材と、第１二分割バンド部材に押圧部材を介して接続される第２二分割バンド部材とからなること、前記固定プレートは、一方の平面に送風ファンの下面が接続され、もう一方の平面の短手方向の両端部に前記固定台の側面が固定されていること、前記固定台の固定プレートに固定している側と反対側の側面は、第１二分割バンド部材の外側面に密着する形状に形成されていることを特徴としたものにすることもできる。【００１２】  本発明の鋼管内面の塗装乾燥方法は、鋼管端部の開口部に連結材が設けられた鋼管鉄塔の鋼管部材に用いるものであって、前記鋼管部材の鋼管内面に塗装を施した後、前記鋼管部材の一方の端部付近の鋼管外面に固定具を介して送風ファンを設置し、送風ファンを送風ファンの設置位置に近い側の連結材の方向に送風するように調整し、送風ファンの上面と連結材の先端とを渡すように上面カバーを設置し、送風ファンと上面カバーと連結材とで囲まれた空間を側面から塞ぐように側面カバーを設置して、鋼管内面の塗装乾燥装置を鋼管部材に取り付け、送風ファンを作動させてカバープレート内に空気を供給し、カバープレート内に供給された空気が鋼管部材の内部に流入し、鋼管部材の内部に流入した空気が、鋼管内面の塗装乾燥装置を取り付けていない側の鋼管部材の端部から排気されることで、鋼管内部に空気を流通させて鋼管内面に施した塗装を乾燥させることを特徴としている。
【発明の効果】
【００１３】  本発明の鋼管内面の塗装乾燥方法およびその装置によれば、鋼管内面に塗装を施した鋼管部材の一方の端部から鋼管内部に空気を流入し、もう一方の端部から排気させることで、鋼管内部に空気を流通させることができるため、鋼管径の小さい水平材や斜材であっても、塗料の硬化乾燥に時間がかかって塗膜厚さにムラが生じることはなく、また、鋼管内部が揮発溶剤で飽和状態となって、塗膜を十分に硬化乾燥させることができない状態になることもなく、目的の塗膜を形成させることができる。【００１４】  また、本発明の鋼管内面の塗装乾燥装置は、大掛かりな装置を使用しておらず、固定具を介して送風ファンを水平材および斜材の鋼管部材に固定し、送風ファンと連結材とを覆うようにカバープレートを設置するだけで前記鋼管部材に取り付けることができるため、鋼管鉄塔に昇塔して高所作業を行う場合であっても取り付けが容易である。【００１５】  また、塗装作業を行う場合、作業者は鋼管鉄塔の主柱材に取り付けられているステップボルトを利用して鉄塔を昇降するが、本発明の鋼管内面の塗装乾燥装置は、水平材および斜材の鋼管端部付近と連結材に取り付けるものであるため、作業者の昇降の障害にならない。
【図面の簡単な説明】
【００１６】
【図１】鋼管鉄塔の一例を示す正面図である。
【図２】鋼管鉄塔の下部付近を示す拡大正面図である。
【図３】水平材および斜材の鋼管端部の構造の一例を示す上面図である。
【図４】水平材および斜材の鋼管端部の構造の一例を示す側面図である。
【図５】連結材を有する鋼管部材の鋼管内面への塗装方法を示す側面図である。
【図６】送風ファンが固定具を介して連結材を有する鋼管部材に設置された様子を示す正面図である。
【図７】送風ファンが固定具を介して連結材を有する鋼管部材に設置された様子を示す側面図である。
【図８】送風ファンが固定具を介して連結材を有する鋼管部材に設置された様子を示す上面図である。
【図９】カバープレートを示す斜視図である。
【図１０】カバープレートが送風ファンと連結材とを覆うように設置された様子を示す正面図である。
【図１１】カバープレートが送風ファンと連結材とを覆うように設置された様子を示す側面図である。
【図１２】カバープレートが送風ファンと連結材とを覆うように設置された様子を示す上面図である。
【図１３】カバープレートが送風ファンと連結材とを覆うように設置された様子を示す背面図である。
【図１４】第１二分割バンド部材を示す斜視図である。
【図１５】第２二分割バンド部材を示す斜視図である。
【図１６】送風ファンが固定具を介して連結材を有する鋼管部材に設置された様子を示す正面図である。
【図１７】送風ファンが固定具を介して連結材を有する鋼管部材に設置された様子を示す側面図である。
【図１８】送風ファンが固定具を介して連結材を有する鋼管部材に設置された様子を示す上面図である。
【図１９】カバープレートが送風ファンと連結材とを覆うように設置された様子を示す正面図である。
【図２０】カバープレートが送風ファンと連結材とを覆うように設置された様子を示す側面図である。
【図２１】カバープレートが送風ファンと連結材とを覆うように設置された様子を示す上面図である。
【図２２】カバープレートが送風ファンと連結材とを覆うように設置された様子を示す背面図である。
【発明を実施するための形態】
【００１７】  以下、本発明の実施形態を、添付の図面を参照しながら詳細に説明する。
【００１８】  鋼管鉄塔の構成の一例として、図１に鋼管鉄塔の正面図、図２に鋼管鉄塔の下部付近の拡大正面図を示す。ここで、本発明の鋼管内面の塗装乾燥装置の各構成を説明するのに先立って、鋼管鉄塔１００について説明する。鋼管鉄塔１００は、地上から縦方向に沿って立設される鉄塔本体１１０と、鉄塔本体１１０から横方向に向けて突出する腕金１２０とを備えている。
【００１９】  鉄塔本体１１０は、縦方向に沿って配置され、鉄塔本体１１０の上端まで延びる主柱材１１１，・・・を複数備える。そして、鉄塔本体１１０は、横方向に配置され、主柱材１１１，１１１同士を連結する複数の水平材１１２，・・・と、主柱材１１１や水平材１１２と傾斜するように配置され、主柱材１１１，１１１同士を連結する複数の斜材１１３，・・・とを備えている。
【００２０】  各主柱材１１１は、両端にフランジ部１１６，１１６を有する円筒状の鋼管を複数連設し、鉛直方向に対して若干傾斜する方向（略鉛直方向）に沿って配置される各鋼管が、フランジ部１１６，１１６同士をボルト及びナットで接合されて構成されている。
【００２１】  各腕金１２０は、鉄塔本体１１０から横方向に沿って突出する一対の腕金主材１２１，１２１を備える。また、各腕金１２０は、鉄塔本体１１０から突出し、腕金主材１２１と傾斜するように配置され、鉄塔本体１１０と腕金主材１２１の先端とを連結する一対の腕金吊材１２２，１２２または一対の腕金支材１２３，１２３を備えている。
【００２２】  図３は水平材および斜材の鋼管端部の構造の一例を示す上面図、図４は水平材および斜材の鋼管端部の構造の一例を示す側面図である。前記水平材１１２および斜材１１３は、鋼管端部の開口部にその直径方向に割込み挿入された連結材１１４が、溶接等の手段により固定されている。前記連結材１１４にはボルト孔が設けられており、主柱材１１１および水平材１１２に設けられているガセットプレート１１５とボルト及びナットにより接続されている。なお、水平材１１２および斜材１１３の鋼管端部の構造としては、Ｕ字プレート継手、Ｉ字プレート継手、Ｔ字プレート継手、十字プレート継手、溝形継手が一般に用いられている。図３および図４では、Ｕ字プレート継手を鋼管端部の構造の一例として示している。このＵ字プレート継手の場合は、連結材１１４のＵ字状プレートの内側にガセットプレート１１５を挿入して、ボルト及びナットにより連結材１１４とガセットプレート１１５とを接続している。
【００２３】  前記水平材１１２および斜材１１３（以下、「連結材を有する鋼管部材」と言う。）の鋼管内面に腐食が発生した場合、腐食の著しいものは部材取替えを実施しているが、腐食が軽微なものについては、腐食の進行を抑えるために、鋼管内面に塗装を施している。
【００２４】  図５は、連結材を有する鋼管部材の鋼管内面への塗装方法を示す側面図である。連結材１１４を有する鋼管部材１１２，１１３の鋼管内面の塗装には、通常、塗料を圧送する塗装機１３３にホース１３１を介してノズル１３２が接続された塗装装置が用いられており、一方の鋼管端部の連結材１１４を除く開口部分からノズル１３２を挿入して、他方の鋼管端部までノズル１３２を移動させ、塗料をノズル１３２から一定の圧力で噴射させながら、一定の速度でノズル１３２を挿入側の鋼管端部まで引くことで、鋼管内面に塗装が施される。
【００２５】  通常、鋼管内面に施した塗装は自然乾燥により乾燥させているが、連結材１１４を有する鋼管部材１１２，１１３のような鋼管径の小さい部材の場合は、塗膜の厚さにムラが生じたり、塗膜を十分に硬化乾燥させることができないといった問題が発生するため、本発明の鋼管内面の塗装乾燥装置１を用いて、連結材１１４を有する鋼管部材１１２，１１３の鋼管内面に施した塗装を乾燥させる。
【００２６】  本発明の鋼管内面の塗装乾燥装置１は、連結材１１４を有する鋼管部材１１２，１１３の一方の端部付近の鋼管外面に設置される送風ファン２と、送風ファン２を連結材１１４を有する鋼管部材１１２，１１３に固定するための固定具３と、送風ファン２と連結材１１４とを覆うように設置されるカバープレート４とで構成されている。
【００２７】  本発明の第１実施形態を図６から図１３を参照しながら詳細に説明する。図６は送風ファンが固定具を介して連結材を有する鋼管部材に設置された様子を示す正面図、図７は送風ファンが固定具を介して連結材を有する鋼管部材に設置された様子を示す側面図、図８は送風ファンが固定具を介して連結材を有する鋼管部材に設置された様子を示す上面図である。前記送風ファン２は、モーター（図示せず）で回転する回転軸５に取り付けられた複数の羽根６により送風する構造であり、前記回転軸５や羽根６はカバー７に収められている。また、前記送風ファン２は、送風ファン２の設置位置に近い側の連結材１１４の方向に送風するように設置されている。
【００２８】  前記固定具３は、固定プレート８と固定台９とＵボルト１０とで構成されている。前記固定プレート８は、金属製の板状体で形成されており、長手方向の端部付近には、Ｕボルト１０を挿通する孔が設けられている。前記固定台９は、金属製の板状体で形成されており、側面の１つが、前記固定プレート８の一方の平面の短手方向の両端部に固定されている。また、前記固定台９は、固定プレート８に固定している側と反対側の側面が、連結材１１４を有する鋼管部材１１２，１１３の外側面に密着する形状に形成されている。前記固定プレート８の固定台９が固定されていない側の平面には、前記送風ファン２の下面が固定されている。前記Ｕボルト１０は、Ｕ字形状のボルトで両端にネジ切り加工が施されており、Ｕ字形状の内側が連結材１１４を有する鋼管部材１１２，１１３の外側面に密着するサイズのボルトが使用される。
【００２９】  図９はカバープレートを示す斜視図である。図１０はカバープレートが送風ファンと連結材とを覆うように設置された様子を示す正面図、図１１はカバープレートが送風ファンと連結材とを覆うように設置された様子を示す側面図、図１２はカバープレートが送風ファンと連結材とを覆うように設置された様子を示す上面図、図１３はカバープレートが送風ファンと連結材とを覆うように設置された様子を示す背面図である。前記カバープレート４は、上面カバー１１と側面カバー１２とで構成されている。前記上面カバー１１は、送風ファン２の上面と連結材１１４の先端とを渡すように設置され、前記側面カバー１２は、送風ファン２と上面カバー１１と連結材１１４とで囲まれた空間を側面から塞ぐように設置されている。
【００３０】  前記上面カバー１１は、送風ファン２の上面に配置される第１上面カバー１１ａと、前記第１上面カバー１１ａの連結材１１４側の側面と連結材１１４の先端とを渡すように設置される第２上面カバー１１ｂとで構成されている。前記第１上面カバー１１ａは、送風ファン２の上面と同じ大きさの金属製の板状体で形成されており、第１上面カバー１１ａの連結材１１４側の側面には第２上面カバー１１ｂが接続されている。また、第１上面カバー１１ａの第２上面カバー１１ｂが接続されている面と反対側の側面は、板材１３が接続されて爪状に形成されており、この爪状部を送風ファン２に引っ掛けるようにして、第１上面カバー１１ａが送風ファン２の上面に設置されている。前記第２上面カバー１１ｂは、第２上面カバー１１ｂの連結材１１４先端側の側面に、板材１４が接続されて爪状に形成されており、この爪状部を連結材１１４の先端に引っ掛けるようにして、第２上面カバー１１ｂが、第１上面カバー１１ａの連結材１１４側の側面と連結材１１４の先端とを渡すように設置されている。なお、第２上面カバー１１ｂは、金属製の板状体で形成されており、第２上面カバー１１ｂの連結材１１４先端側の幅は、連結材１１４の先端部と同じ幅で形成されており、第２上面カバー１１ｂの第１上面カバー１１ａと接続される側の幅は、第１上面カバー１１ａと同じ幅で形成されている。
【００３１】  前記側面カバー１２は、送風ファン２の側面に配置される第１側面カバー１２ａと、前記第１側面カバー１２ａの連結材１１４側の端部と第２上面カバー１１ｂの幅方向の端部と連結材１１４とで囲まれた面を塞ぐように設置される第２側面カバー１２ｂとで構成されている。前記第１側面カバー１２ａは、送風ファン２の側面と同じ大きさの金属製の板状体で形成されており、第１側面カバー１２ａの連結材１１４側の側面には第２側面カバー１２ｂが接続されている。また、第１側面カバー１２ａの送風ファン２上面側の端部は、第１上面カバー１１ａの端部と接続されている。前記第２側面カバー１２ｂは、弾性を有する略三角形の板状体で形成されており、略三角形の１つの辺が第２上面カバー１１ｂの幅方向の側面に接続されており、略三角形の他の１つの辺の一部が第１側面カバー１２ａの連結材１１４側の側面に接続されており、略三角形の他の１つの辺が連結材１１４の表面に接触した状態で設置されている。また、第１側面カバー１２ａの連結材１１４側の端部と第２上面カバー１１ｂの幅方向の端部と連結材１１４とで囲まれた面上に鋼管端部がある場合、第２側面カバー１２ｂは平坦な板状体の状態では取り付けができないため、弾性を有する板状体を鋼管端部の部分で変形させて、鋼管端部の外側に第２側面カバー１２ｂを設置する。なお、前記第２側面カバー１２ｂには、弾性を有する略三角形の板状体を用いているが、鋼管端部の外側に第２側面カバー１２ｂが設置できるように、予め鋼管端部の部分で変形させた金属製の略三角形の板状体を用いても構わない。また、前記弾性を有する略三角形の板状体は、送風ファン２からの風の力では変形しない程度の弾性を有している。
【００３２】  次に本発明の第２実施形態を図１４から図２２を参照しながら詳細に説明する。上記の第１実施形態の鋼管内面の塗装乾燥装置１では、固定プレート８と固定台９とＵボルト１０とで構成されている固定具３を用いているが、第２実施形態では、固定プレート１５と、固定台１６と、連結材１１４を有する鋼管部材１１２，１１３を挟持する一対の二分割バンド部材１７，１８と、一対の二分割バンド部材１７，１８に挟持方向の押圧力を作用させる押圧部材１９とで構成されている固定具３を用いる。
【００３３】  図１４は一対の二分割バンド部材の第１二分割バンド部材を示す斜視図、図１５は一対の二分割バンド部材の第２二分割バンド部材を示す斜視図である。前記一対の二分割バンド部材１７，１８は、前記固定台１６の側面に固定されている第１二分割バンド部材１７と、第１二分割バンド部材１７に押圧部材１９を介して接続される第２二分割バンド部材１８とからなる。
【００３４】  図１６は送風ファンが固定具を介して連結材を有する鋼管部材に設置された様子を示す正面図、図１７は送風ファンが固定具を介して連結材を有する鋼管部材に設置された様子を示す側面図、図１８は送風ファンが固定具を介して連結材を有する鋼管部材に設置された様子を示す上面図である。前記送風ファン２は、モーター（図示せず）で回転する回転軸５に取り付けられた複数の羽根６により送風する構造であり、前記回転軸５や羽根６はカバー７に収められている。また、前記送風ファン２は、送風ファン２の設置位置に近い側の連結材１１４の方向に送風するように設置されている。
【００３５】  前記固定台１６は、金属製の板状体で形成されており、側面の１つが第１二分割バンド部材１７の外側面に密着する形状に形成されて、第１二分割バンド部材１７に固定されている。また、前記固定台１６は、第１二分割バンド部材１７に固定されている側と反対側の側面に、固定プレート１５が固定されている。前記固定プレート１５は、金属製の板状体で形成されており、一方の平面の短手方向の両端部に前記固定台１６の側面が固定されている。また、前記固定プレート１５の固定台１６が固定されていない側の平面には、前記送風ファン２の下面が固定されている。
【００３６】  第１二分割バンド部材１７と第２二分割バンド部材１８は、金属製の板状体で形成されており、連結材１１４を有する鋼管部材１１２，１１３の外側面に密着する形状に形成されている。第１二分割バンド部材１７と第２二分割バンド部材１８の幅方向の端部付近には、押圧部材１９を挿通する孔が設けられている。押圧部材１９は、表面にネジ切り加工が施された棒鋼で形成されており、第１二分割バンド部材１７および第２二分割バンド部材１８に設けられた押圧部材１９を挿通する孔に、押圧部材１９の端部が挿通される。この押圧部材１９の第１二分割バンド部材１７および第２二分割バンド部材１８の外側に突出した端部にナット２０が螺合されており、このナット２０を緊締することにより、第１二分割バンド部材１７と第２二分割バンド部材１８を挟持方向に押圧するようになっている。
【００３７】  図１９はカバープレートが送風ファンと連結材とを覆うように設置された様子を示す正面図、図２０はカバープレートが送風ファンと連結材とを覆うように設置された様子を示す側面図、図２１はカバープレートが送風ファンと連結材とを覆うように設置された様子を示す上面図、図２２はカバープレートが送風ファンと連結材とを覆うように設置された様子を示す背面図である。第２実施形態のカバープレートの構成および設置方法については、第１実施形態と同じであり、前記カバープレート４は、上面カバー１１と側面カバー１２とで構成されている。前記上面カバー１１は、送風ファン２の上面と連結材１１４の先端とを渡すように設置され、前記側面カバー１２は、送風ファン２と上面カバー１１と連結材１１４とで囲まれた空間を側面から塞ぐように設置されている。
【００３８】  前記上面カバー１１は、送風ファン２の上面に配置される第１上面カバー１１ａと、前記第１上面カバー１１ａの連結材１１４側の側面と連結材１１４の先端とを渡すように設置される第２上面カバー１１ｂとで構成されている。前記第１上面カバー１１ａは、送風ファン２の上面と同じ大きさの金属製の板状体で形成されており、第１上面カバー１１ａの連結材１１４側の側面には第２上面カバー１１ｂが接続されている。また、第１上面カバー１１ａの第２上面カバー１１ｂが接続されている面と反対側の側面は、板材１３が接続されて爪状に形成されており、この爪状部を送風ファン２に引っ掛けるようにして、第１上面カバー１１ａが送風ファン２の上面に設置されている。前記第２上面カバー１１ｂは、第２上面カバー１１ｂの連結材１１４先端側の側面に、板材１４が接続されて爪状に形成されており、この爪状部を連結材１１４の先端に引っ掛けるようにして、第２上面カバー１１ｂが第１上面カバー１１ａの連結材１１４側の側面と連結材１１４の先端とを渡すように設置されている。なお、第２上面カバー１１ｂは、金属製の板状体で形成されており、第２上面カバー１１ｂの連結材１１４先端側の幅は、連結材１１４の先端部と同じ幅で形成されており、第２上面カバー１１ｂの第１上面カバー１１ａと接続される側の幅は、第１上面カバー１１ａと同じ幅で形成されている。
【００３９】  前記側面カバー１２は、送風ファン２の側面に配置される第１側面カバー１２ａと、前記第１側面カバー１２ａの連結材１１４側の端部と第２上面カバー１１ｂの幅方向の端部と連結材１１４とで囲まれた面を塞ぐように設置される第２側面カバー１２ｂとで構成されている。前記第１側面カバー１２ａは、送風ファン２の側面と同じ大きさの金属製の板状体で形成されており、第１側面カバー１２ａの連結材１１４側の側面には第２側面カバー１２ｂが接続されている。また、第１側面カバー１２ａの送風ファン２上面側の端部は、第１上面カバー１１ａの端部と接続されている。前記第２側面カバー１２ｂは、弾性を有する略三角形の板状体で形成されており、略三角形の１つの辺が第２上面カバー１１ｂの幅方向の側面に接続されており、略三角形の他の１つの辺の一部が第１側面カバー１２ａの連結材１１４側の側面に接続されており、略三角形の他の１つの辺が連結材１１４の表面に接触した状態で設置されている。また、第１側面カバー１２ａの連結材１１４側の端部と第２上面カバー１１ｂの幅方向の端部と連結材１１４とで囲まれた面上に鋼管端部がある場合、第２側面カバー１２ｂは平坦な板状体の状態では取り付けができないため、弾性を有する板状体を鋼管端部の部分で変形させて、鋼管端部の外側に第２側面カバー１２ｂを設置する。なお、前記第２側面カバー１２ｂには、弾性を有する略三角形の板状体を用いているが、鋼管端部の外側に第２側面カバー１２ｂが配置できるように、予め鋼管端部の部分で変形させた金属製の略三角形の板状体を用いても構わない。また、前記弾性を有する略三角形の板状体は、送風ファン２からの風の力では変形しない程度の弾性を有している。
【００４０】  次に、第１実施形態の鋼管内面の塗装乾燥装置１を用いて、連結材１１４を有する鋼管部材１１２，１１３の鋼管内面に施した塗装を乾燥させる方法について説明する。
【００４１】  第１の工程では、連結材１１４を有する鋼管部材１１２，１１３の一方の端部付近の鋼管外面に固定具３を介して送風ファン２を設置し、前記送風ファン２を送風ファン２の設置位置に近い側の連結材１１４の方向に送風するように調整する。
【００４２】  まず、連結材１１４を有する鋼管部材１１２，１１３の一方の端部付近の鋼管外面に固定プレート８を配置する。この時、固定プレート８に固定されている固定台９は、図６に示すように、固定プレート８に固定している側と反対側の側面が、連結材１１４を有する鋼管部材１１２，１１３の外側面に密着する形状に形成されており、この側面を鋼管部材１１２，１１３の鋼管外面に密着させて、固定プレート８を連結材１１４を有する鋼管部材１１２，１１３の一方の端部付近の鋼管外面に配置する。
【００４３】  次に、連結材１１４を有する鋼管部材１１２，１１３の鋼管径に応じたＵボルトを選定する。選定したＵボルトは、Ｕ字形状の内側を連結材１１４を有する鋼管部材１１２，１１３の外側面に密着させるようにして配置し、固定プレート８に設けられているＵボルト１０を挿通する孔にＵボルトの両端部を挿通させる。この固定プレート８の外側に突出したＵボルトの端部にはナットが螺合されており、このナットを緊締することにより、固定プレート８を鋼管部材１１２，１１３に固定する。
【００４４】  次に、図６から図８に示すように、前記固定プレート８の固定台９が固定されていない側の平面に、送風ファン２の下面を固定する。この時、前記送風ファン２は、送風ファン２の設置位置に近い側の連結材１１４の方向に送風するように設置する。これにより、連結材１１４を有する鋼管部材１１２，１１３の一方の端部付近の鋼管外面に固定具３を介して送風ファン２の設置が完了する。
【００４５】  第２の工程では、送風ファン２の上面と連結材１１４の先端とを渡すように上面カバー１１を設置し、送風ファン２と上面カバー１１と連結材１１４とで囲まれた空間を側面から塞ぐように側面カバー１２を設置する。
【００４６】  前記上面カバー１１は、第１上面カバー１１ａと第２上面カバー１１ｂとで構成されている。図９から図１３に示すように、前記第１上面カバー１１ａの板材１３が接続されて爪状に形成されている爪状部を、送風ファン２の背面側の上端部に引っ掛けるようにして、第１上面カバー１１ａを送風ファン２の上面に設置する。前記第１上面カバー１１ａの連結材１１４側の側面には、第２上面カバー１１ｂが接続されており、前記第２上面カバー１１ｂの板材１４が接続されて爪状に形成されている爪状部を、連結材１１４の先端に引っ掛けるようにして、第２上面カバー１１ｂを第１上面カバー１１ａの連結材１１４側の側面と連結材１１４の先端とを渡すように設置する。これにより、送風ファン２の上面と連結材１１４の先端とを渡すように上面カバー１１が設置される。
【００４７】  前記側面カバー１２は、第１側面カバー１２ａと第２側面カバー１２ｂとで構成されている。前記第１上面カバー１１ａの端部に接続されている前記第１側面カバー１２ａを送風ファン２の側面に配置する。略三角形状の前記第２側面カバー１２ｂは、略三角形の１つの辺を第２上面カバー１１ｂの幅方向の側面に接続し、略三角形の他の１つの辺の一部を第１側面カバー１２ａの連結材１１４側の側面に接続し、略三角形の他の１つの辺を連結材１１４の表面に接触した状態で設置する。これにより、送風ファン２と上面カバー１１と連結材１１４とで囲まれた空間を側面から塞ぐように側面カバー１２が設置される。
【００４８】  以上の工程により、鋼管内面の塗装乾燥装置１の連結材１１４を有する鋼管部材１１２，１１３への取り付けが完了する。このように、本発明の鋼管内面の塗装乾燥装置１は、大掛かりな装置を使用しておらず、固定具３を介して送風ファン２を前記鋼管部材１１２，１１３に固定し、送風ファン２と連結材１１４とを覆うようにカバープレート４を設置するだけで取り付けることができるため、鋼管鉄塔１００に昇塔して高所作業を行う場合であっても取り付けが容易である。また、塗装作業を行う場合、作業者は鋼管鉄塔１００の主柱材１１１に取り付けられているステップボルトを利用して鉄塔を昇降するが、本発明の鋼管内面の塗装乾燥装置１は、連結材１１４を有する鋼管部材１１２，１１３の端部付近と連結材１１４に取り付けるものであるため、作業者の昇降の障害にならない。
【００４９】  第３の工程では、送風ファン２を作動させてカバープレート４内に空気を供給し、鋼管内部に空気を流通させて、鋼管内面に施した塗装を乾燥させる。
【００５０】  前記送風ファン２は、送風ファン２の設置位置に近い側の連結材１１４の方向に送風するように設置しており、また、カバープレート４は、上面カバー１１を送風ファン２の上面と連結材１１４の先端とを渡すように設置し、側面カバー１２を送風ファン２と上面カバー１１と連結材１１４とで囲まれた空間を側面から塞ぐように設置しているため、送風ファン２を作動させると、カバープレート４内に空気が供給される。
【００５１】  カバープレート４内に供給された空気は、連結材１１４を有する鋼管部材１１２，１１３の内部に流入し、鋼管内面の塗装乾燥装置１を取り付けていない側の鋼管端部から前記鋼管部材１１２，１１３の内部に流入した空気が排気される。これにより、鋼管内部に空気が流通し、鋼管内面に施した塗装を乾燥させることができる。また、鋼管内部に空気を流通させることができるため、鋼管径の小さい水平材１１２や斜材１１３であっても、塗料の硬化乾燥に時間がかかって塗膜厚さにムラが生じることはなく、また、鋼管内部が揮発溶剤で飽和状態となって、塗膜を十分に硬化乾燥させることができない状態になることもなく、目的の塗膜を形成させることができる。
【００５２】  次に、第２実施形態の鋼管内面の塗装乾燥装置１を用いて、連結材１１４を有する鋼管部材１１２，１１３の鋼管内面に施した塗装を乾燥させる方法について説明する。
【００５３】  第１の工程では、連結材１１４を有する鋼管部材１１２，１１３の一方の端部付近の鋼管外面に固定具３を介して送風ファン２を設置し、前記送風ファン２を送風ファン２の設置位置に近い側の連結材１１４の方向に送風するように調整する。
【００５４】  まず、連結材１１４を有する鋼管部材１１２，１１３の一方の端部付近の鋼管外面に固定プレート１５を配置する。この時、固定プレート１５に固定台１６を介して固定されている第１二分割バンド部材１７は、図１６に示すように、連結材１１４を有する鋼管部材１１２，１１３の外側面に密着する形状に形成されており、第１二分割バンド部材１７の内側面を鋼管部材１１２，１１３の鋼管外面に密着させて、固定プレート１５を連結材１１４を有する鋼管部材１１２，１１３の一方の端部付近の鋼管外面に配置する。
【００５５】  第２二分割バンド部材１８は、図１６に示すように、連結材１１４を有する鋼管部材１１２，１１３の外側面に密着する形状に形成されており、第１二分割バンド部材１７と相対する位置に、第２二分割バンド部材１８の内側面を鋼管部材１１２，１１３の鋼管外面に密着させるようにして配置する。次に、第１二分割バンド部材１７と第２二分割バンド部材１８に設けられた押圧部材１９を挿通する孔に、押圧部材１９の端部を挿通する。この押圧部材１９の第１二分割バンド部材１７および第２二分割バンド部材１８の外側に突出した端部にナット２０が螺合されており、このナット２０を緊締することにより、第１二分割バンド部材１７と第２二分割バンド部材１８を挟持方向に押圧して、固定プレート１５を鋼管部材１１２，１１３に固定する。
【００５６】  次に、図１６から図１８に示すように、前記固定プレート１５の固定台１６が固定されていない側の平面に、送風ファン２の下面を固定する。この時、前記送風ファン２は、送風ファン２の設置位置に近い側の連結材１１４の方向に送風するように設置する。これにより、連結材１１４を有する鋼管部材１１２，１１３の一方の端部付近の鋼管外面に固定具３を介して送風ファン２の設置が完了する。
【００５７】  第２の工程では、送風ファン２の上面と連結材１１４の先端とを渡すように上面カバー１１を設置し、送風ファン２と上面カバー１１と連結材１１４とで囲まれた空間を側面から塞ぐように側面カバー１２を設置する。
【００５８】  前記上面カバー１１は、第１上面カバー１１ａと第２上面カバー１１ｂとで構成されている。図１９から図２２に示すように、前記第１上面カバー１１ａの板材１３が接続されて爪状に形成されている爪状部を、送風ファン２の背面側の上端部に引っ掛けるようにして、第１上面カバー１１ａを送風ファン２の上面に設置する。前記第１上面カバー１１ａの連結材１１４側の側面には、第２上面カバー１１ｂが接続されており、前記第２上面カバー１１ｂの板材１４が接続されて爪状に形成されている爪状部を、連結材１１４の先端に引っ掛けるようにして、第２上面カバー１１ｂを第１上面カバー１１ａの連結材１１４側の側面と連結材１１４の先端とを渡すように設置する。これにより、送風ファン２の上面と連結材１１４の先端とを渡すように上面カバー１１が設置される。
【００５９】  前記側面カバー１２は、第１側面カバー１２ａと第２側面カバー１２ｂとで構成されている。前記第１上面カバー１１ａの端部に接続されている前記第１側面カバー１２ａを送風ファン２の側面に配置する。略三角形状の前記第２側面カバー１２ｂは、略三角形の１つの辺を第２上面カバー１１ｂの幅方向の側面に接続し、略三角形の他の１つの辺の一部を第１側面カバー１２ａの連結材１１４側の側面に接続し、略三角形の他の１つの辺を連結材１１４の表面に接触した状態で設置する。これにより、送風ファン２と上面カバー１１と連結材１１４とで囲まれた空間を側面から塞ぐように側面カバー１２が設置される。
【００６０】  以上の工程により、鋼管内面の塗装乾燥装置１の連結材１１４を有する鋼管部材１１２，１１３への取り付けが完了する。このように、本発明の鋼管内面の塗装乾燥装置１は、大掛かりな装置を使用しておらず、固定具３を介して送風ファン２を前記鋼管部材１１２，１１３に固定し、送風ファン２と連結材１１４とを覆うようにカバープレート４を設置するだけで取り付けることができるため、鋼管鉄塔１００に昇塔して高所作業を行う場合であっても取り付けが容易である。また、塗装作業を行う場合、作業者は鋼管鉄塔１００の主柱材１１１に取り付けられているステップボルトを利用して鉄塔を昇降するが、本発明の鋼管内面の塗装乾燥装置１は、連結材１１４を有する鋼管部材１１２，１１３の端部付近と連結材１１４に取り付けるものであるため、作業者の昇降の障害にならない。
【００６１】  第３の工程では、送風ファン２を作動させてカバープレート４内に空気を供給し、鋼管内部に空気を流通させて、鋼管内面に施した塗装を乾燥させる。
【００６２】  前記送風ファン２は、送風ファン２の設置位置に近い側の連結材１１４の方向に送風するように設置しており、また、カバープレート４は、上面カバー１１を送風ファン２の上面と連結材１１４の先端とを渡すように設置し、側面カバー１２を送風ファン２と上面カバー１１と連結材１１４とで囲まれた空間を側面から塞ぐように設置しているため、送風ファン２を作動させると、カバープレート４内に空気が供給される。
【００６３】  カバープレート４内に供給された空気は、連結材１１４を有する鋼管部材１１２，１１３の内部に流入し、鋼管内面の塗装乾燥装置１を取り付けていない側の鋼管端部から前記鋼管部材１１２，１１３の内部に流入した空気が排気される。これにより、鋼管内部に空気が流通し、鋼管内面に施した塗装を乾燥させることができる。また、鋼管内部に空気を流通させることができるため、鋼管径の小さい水平材１１２や斜材１１３であっても、塗料の硬化乾燥に時間がかかって塗膜厚さにムラが生じることはなく、また、鋼管内部が揮発溶剤で飽和状態となって、塗膜を十分に硬化乾燥させることができない状態になることもなく、目的の塗膜を形成させることができる。
【符号の説明】
【００６４】    １    鋼管内面の塗装乾燥装置
２    送風ファン
３    固定具
４    カバープレート
５    回転軸
６    羽根
７    カバー
８    固定プレート
９    固定台
１０    Ｕボルト
１１    上面カバー
１１ａ  第１上面カバー
１１ｂ  第２上面カバー
１２    側面カバー
１２ａ  第１側面カバー
１２ｂ  第２側面カバー
１３    第１上面カバーに接続される板材
１４    第２上面カバーに接続される板材
１５    固定プレート
１６    固定台
１７    第１二分割バンド部材
１８    第２二分割バンド部材
１９    押圧部材
２０    ナット
１００    鋼管鉄塔
１１０    鉄塔本体
１１１    主柱材
１１２    水平材
１１３    斜材
１１４    連結材
１１５    ガセットプレート
１１６    フランジ部
１２０    腕金
１２１    腕金主材
１２２    腕金吊材
１２３    腕金支材
１３１    ホース
１３２    ノズル
１３３    塗装機
【図１】
2015071156.tif 000003
【図２】
2015071156.tif 000004
【図３】
2015071156.tif 000005
【図４】
2015071156.tif 000006
【図５】
2015071156.tif 000007
【図６】
2015071156.tif 000008
【図７】
2015071156.tif 000009
【図８】
2015071156.tif 000010
【図９】
2015071156.tif 000011
【図１０】
2015071156.tif 000012
【図１１】
2015071156.tif 000013
【図１２】
2015071156.tif 000014
【図１３】
2015071156.tif 000015
【図１４】
2015071156.tif 000016
【図１５】
2015071156.tif 000017
【図１６】
2015071156.tif 000018
【図１７】
2015071156.tif 000019
【図１８】
2015071156.tif 000020
【図１９】
2015071156.tif 000021
【図２０】
2015071156.tif 000022
【図２１】
2015071156.tif 000023
【図２２】
2015071156.tif 000024